(57)【要約】【課題】  使い勝手が良く、室内の会話等の漏洩を完全に防止することができるようにする。【解決手段】  通話釦１６の操作によりマイク１及びスピーカ２をオン・オフして、オン時にはハンズフリー状態で戸外通話機器３０との通話が可能な住宅情報盤１０に、保留釦６ａと、制御手段８とを備えさせ、制御手段８は通話状態下で保留釦６ａが押されると、少なくともマイク１をオフさせて、室内の会話等が外部に漏洩するのを防止するように構成する。【選択図】        図１
2005236743.tif 000002
【特許請求の範囲】
【請求項１】
通話釦の操作によりマイク及びスピーカをオン、オフして、オン時にはハンズフリー状態で戸外通話機器との通話が可能な住宅情報盤において、
保留釦と、制御手段とを備え、
前記制御手段は、通話状態下で前記保留釦が押されると、少なくとも前記マイクをオフすることを特徴とする住宅情報盤。
【請求項２】
メロディ記憶部を設け、
前記制御手段は、通話状態下で前記保留釦が押されると、前記メロディ記憶部に記憶されているメロディを通話回路を介して戸外通話機器のスピーカに出力して鳴動させることを特徴とする請求項１記載の住宅情報盤。
【請求項３】
前記制御手段は、前記保留釦が押された保留状態下で前記通話釦が押されると、少なくとも前記マイクをオンしてハンズフリー通話状態に復帰させることを特徴とする請求項１又は請求項２記載の住宅情報盤。
【請求項４】
モニタと、該モニタの周辺に配置した複数の指示入力用釦とを有し、前記制御手段は、戸外通話機器との通話中に前記複数の指示入力用釦の一つを保留釦として割り当てることを特徴とする請求項１乃至請求項３のいずれかに記載の住宅情報盤。
【請求項５】
前記マイクをオフ又はオンする際、前記住宅情報盤のスピーカもオフ又はオンさせることを特徴とする請求項１乃至請求項４のいずれかに記載の住宅情報盤。
【発明の詳細な説明】
【技術分野】
【０００１】
本発明は、来客者等、戸外の人と通話ができるインターホン機能を備えた住宅情報盤に係り、より詳しくはハンズフリー機能および保留機能を有する住宅情報盤に関する。
【背景技術】
【０００２】
従来より、ドアホン、集合玄関機、又は管理室通話制御盤と住戸内との間で通話ができるインターホン機能を備えた住宅情報盤が知られている。この住宅情報盤は、いわゆるハンドセットと呼ばれる送受話器を使用しているものが主流である（例えば特許文献１）。
【０００３】
また、近年はハンドセットに代えて両手を自由に使えるハンズフリー機能を有する住宅情報盤も提案されている（例えば特許文献２）。
【０００４】
【特許文献１】特開２００１−１７５９７４号公報
【特許文献２】特開２００３−３７６７８号公報
【発明の開示】
【発明が解決しようとする課題】
【０００５】
しかしながら、いずれの住宅情報盤も保留機能を持っておらず、機器そのものに室内での会話等の漏洩を防止する機能がなかった。このため、室内の会話等の漏洩を防止したい場合、送受話器のマイク部分や機器内蔵のマイク部分を使用者が手で覆うようにしているのが実情であり、使い勝手が悪く、かつ漏洩を完全に防止することはできなかった。
【０００６】
本発明の技術的課題は、使い勝手が良く、室内の会話等の漏洩を完全に防止することができるようにすることにある。
【課題を解決するための手段】
【０００７】
本発明に係る住宅情報盤は、下記の構成からなるものである。すなわち、通話釦の操作によりマイク及びスピーカをオン、オフして、オン時にはハンズフリー状態で戸外通話機器との通話が可能な住宅情報盤において、保留釦と、制御手段とを備え、前記制御手段は、通話状態下で前記保留釦が押されると、少なくとも前記マイクをオフするものである。
また、メロディ記憶部を設け、前記制御手段は、通話状態下で保留釦が押されると、メロディ記憶部に記憶されているメロディを通話回路を介して戸外通話機器のスピーカに出力して鳴動させるものである。
また、前記制御手段は、保留釦が押された保留状態下で通話釦が押されると、少なくともマイクをオンしてハンズフリー通話状態に復帰させるものである。
また、マイクをオフ又はオンする際、前記住宅情報盤のスピーカもオフ又はオンさせるものである。
【０００８】
また、本発明に係る住宅情報盤は、モニタと、モニタの周辺に配置した複数の指示入力用釦とを有し、前記制御手段が、戸外通話機器との通話中に複数の指示入力用釦の一つを保留釦として割り当てるものである。
【発明の効果】
【０００９】
本発明に係る住宅情報盤において、戸外通話機器との通話状態下で保留釦が押されると、住宅情報盤のマイクがオフされるので、室内の会話等の漏洩は完全に防止される。また特にメロディ記憶部を備え、保留釦が押された際には、戸外通話機器のスピーカからメロディを鳴動させる。これにより、通話相手に対して保留中であることを知らせることができる。また保留中に通話釦が押されると、マイク及びスピーカがオンされてハンズフリー通話状態に復帰するので、使い勝手が向上する。
【００１０】
また、本発明に係る住宅情報盤においては、モニタの周辺に複数の指示入力用釦を配置して、これら指示入力用釦の一つを、戸外通話機器との通話中に保留釦として割り当てるようにしているので、住宅情報盤本体の前面に専用の保留釦を固定して設ける必要がなく、住宅情報盤本体前面の構成をシンプルなものとすることができ、その分、部品点数を削減することができる。
【発明を実施するための最良の形態】
【００１１】
図１は本発明の一実施形態に係る住宅情報盤と戸外通話機器（ドアホン、集合住宅の集合玄関機、又は管理室通話制御盤など）との関係を示すブロック図、図２乃至図５はいずれもその住宅情報盤を概略的に示す正面図で、図２は待機中の状態、図３は集合玄関機から呼出があった状態、図４は通話中の状態、図５は保留中の状態、をそれぞれ示す。
【００１２】
図において、１０は住宅情報盤、３０は戸外通話機器の一例であるドアホンである。ドアホン３０は、マイク３１、スピーカ３２、及び呼出釦３３を有し、これらが通話回路３４に接続され、通話ライン３５を介して住宅情報盤１０と接続されている。また、ドアホン３０には、カメラ（図示せず）が設置されており、カメラにより撮像された映像のデータが映像ライン（図示せず）を介して住宅情報盤１０に送られるようになっている。
ところで、図１においては戸外通話機器３０がドアホンの場合を図示してあるが、戸外通話機器３０は、ドアホンだけでなく、集合住宅の集合玄関機、又は管理室の管理室親機も戸外通話機器となりうる。つまり戸外通話機器３０とは、住宅情報盤１０と通話できる外部機器全般を意味し、後述の動作例では、集合玄関機を一例に説明する。このため戸外通話機器の符号３０は、以下の説明では、ドアホンの場合もあるが、特に動作説明においては集合玄関機を指す。
なお、実際に、戸外通話機器３０が集合玄関機となる場合には、図示は省略するが、その集合玄関機３０と住宅情報盤１０の間には、通話制御装置が設けられ、集合玄関機３０と住宅情報盤１０は、両者の通話回路が通話線を介して接続され、また両者の伝送回路が伝送線を介して接続されることになる。このため、集合玄関機３０からの呼出信号は、呼出検出部１８ではなく、伝送回路によって検知されることになる。
【００１３】
住宅情報盤１０の本体内には、マイク１とスピーカ２が設けられ、これらが通話スイッチ３を介して通話回路４に接続され、更に通話ライン３５を介してドアホン３０と接続されている。住宅情報盤１０の本体前面の中央部には、ＣＲＴ又はＬＣＤで構成されたモニタ５が設置され、モニタ５の周辺に複数（ここでは５つ）の指示入力用釦６ａ，６ｂ，６ｃ，６ｄ，６ｅとメニュー釦７が配置され、本体内に設けられた制御手段としての制御部８により指示入力用釦６ａ，６ｂ，６ｃ，６ｄ，６ｅが各種機能の指示釦として割り当てられるようになっており、割り当てられた指示入力用釦はその位置と機能が分かるようにモニタ５上の当該釦近傍にその機能が表示されるようになっている。また、本体前面のモニタ５よりも上方の位置には、ＬＥＤからなる電源ランプ９、警戒中ランプ１１、及びお知らせランプ１２と、火災発生警報が発せられたとき、これを確認したことを管理室などに知らせるための火災確認釦１３と、警報音停止復旧釦１４と、住戸内で病気などの非常事態が発生した場合、これを管理室などに知らせる、あるいは復旧したことを知らせるための非常／復旧釦１５が配置されている。また、本体前面のモニタ５よりも下方の位置には、スピーカ２が配置され、更にその下方に通話釦１６が配置され、通話釦１６の左右にマイク１と、集合玄関の扉を解錠するための解錠釦１７が配置されている。
また図１において、４は住宅情報盤１０に設けた通話回路、３４はドアホン３０に設けた通話回路である。通話回路４，３４は、例えば２線−４線変換回路などの公知の回路によって構成され、戸外通話機器と住宅情報盤１０間の音声の送受信、つまり通話を行うための回路である。６ａは保留釦で、呼出釦３３と通話釦１６が押されて通話状態となっている際に押されると、その通話を保留（停止）状態にする。２１はメロディ送出スイッチで、制御部８によってオン・オフされ、通話スイッチ３とオン・オフ状態が逆になるように連動して制御される。２２はメロディ記憶部で、音楽などのメロディを記憶しており、保留釦６ａが押された際、通話回路４，３４を介して戸外通話機器側に出力される。
【００１４】
制御部８は、制御信号、図示しない火災検出センサから送信される警報信号、前記各種釦の操作により入力される操作信号などに基づいて、住宅情報盤１０内の各部の制御処理を行う。例えば、通話釦１６の操作信号に基づいて、マイク１及びスピーカ２の通話スイッチ３をオン・オフして、オン時にはハンズフリー状態で戸外通話機器すなわちドアホン３０との間で音声の送受信である通話を可能にするための制御を行う。また、ドアホン３０の図示しないカメラからの映像データを受信してモニタ５に表示するための制御を行う。
【００１５】
すなわち制御部８は、図２の待機状態にあるときに、集合玄関機３０の呼出釦３３が押されたことを検出する呼出検出部１８（前述の伝送回路）からの信号の入力があると、鳴動部１９に鳴動指令を出力して、集合玄関より呼出があることを音声又はブザーにより知らせる。また、モニタ５には集合玄関機３０のカメラからの映像と「集合玄関」の文字を表示させ、通話先を示す（図３）。この際、通話釦１６が押されると、マイク１及びスピーカ２の通話スイッチ３をオンして接点を閉じて、オン時にはハンズフリー状態で集合玄関機３０との間で音声の送受信をするための制御を行うとともに、モニタ５の「集合玄関」の文字の横に「通話中」の文字を表示させる。そして、この戸外通話機器との「通話中」の状態においては、指示入力用釦の一つ（ここでは指示入力用釦６ａ）を保留釦として割り当て、モニタ５上の指示入力用釦６ａの近傍に「保留」の文字を表示させる（図４）。また、この図４のハンズフリー通話状態下で指示入力用釦すなわち保留釦６ａが押されると、マイク１及びスピーカ２の通話スイッチ３をオフするとともに、メロディ送出スイッチ２１をオンして、メロディ記憶部２２に記憶されているメロディを通話回路４を介して集合玄関機３０のスピーカ３２に出力してメロディを鳴動させる。この時、モニタ５上では保留釦６ａ近傍の「保留」の文字は表示させず、通話先である「集合玄関」の文字の横に「保留中」の文字を表示させる（図５）。また、この図５の保留中の状態下で通話釦１６が押されると、メロディ送出スイッチ２１をオフするとともに、マイク１及びスピーカ２の通話スイッチ３をオンして、前記図４のハンズフリー通話状態に復帰させる。更にこのハンズフリー通話状態下で再度、通話釦１６が押されると、指示入力用釦６ａに対する保留釦としての割り当てを解除し、モニタ５の電源をオフし、図２の待機状態に戻る。
【００１６】
このように、本実施形態の住宅情報盤１０は、集合玄関機３０など戸外通話機器との通話状態下で保留釦６ａが押されると、マイク１及びスピーカ２がオフされ、戸外通話機器のスピーカからメロディが鳴動するようにしているので、室内の会話等の漏洩を完全に防止することができ、かつ通話相手に対して保留中であることを知らせることができる。
【００１７】
また、保留中に通話釦１６が押されると、マイク１及びスピーカ２がオンされてハンズフリー通話状態に復帰するので、使い勝手が向上する。
【００１８】
また、モニタ５の周辺に複数の指示入力用釦６ａ，６ｂ，６ｃ，６ｄ，６ｅを配置して、これら指示入力用釦６ａ，６ｂ，６ｃ，６ｄ，６ｅの一つを、集合玄関機３０など戸外通話機器との通話中に保留釦として割り当てるようにしているので、住宅情報盤本体の前面に専用の保留釦を固定して設ける必要がなく、住宅情報盤本体前面の構成をシンプルなものとすることができ、その分、部品点数を削減することができる。
【００１９】
なお、本実施形態おいては、保留釦を押した時に、メロディ記憶部のメロディを戸外通話機器のスピーカから出力させるようにしているが、メロディ記憶部を設けずに、保留釦が押された時、住宅情報盤のマイクをオフして通話回路と遮断することで、室内の会話の漏洩を防止するようにしてもよい。
また、本実施形態では、保留釦を押した時、住宅情報盤のマイク及びスピーカの両方をオフにしているが、室内の会話の漏洩を防止するには、少なくともマイクだけをオフすればよい。
また、指示入力用釦に、ＬＥＤを設けて、操作必要時に点灯させるようにしてもよい。
【図面の簡単な説明】
【００２０】
【図１】本発明の一実施形態に係る住宅情報盤と戸外通話機器との関係を示すブロック図である。
【図２】本実施形態に係る住宅情報盤の待機中の状態を示す正面図である。
【図３】本実施形態に係る住宅情報盤の集合玄関機から呼出があった状態を示す正面図である。
【図４】本実施形態に係る住宅情報盤の通話中の状態を示す正面図である。
【図５】本実施形態に係る住宅情報盤の保留中の状態を示す正面図である。
【符号の説明】
【００２１】
１  住宅情報盤のマイク
２  住宅情報盤のスピーカ
４，３２  通話回路
５  モニタ
６ａ  指示入力用釦（保留釦）
６ｂ〜６ｅ  指示入力用釦
８  制御手段
１０  住宅情報盤
１６  通話釦
２２  メロディ記憶部
３０  ドアホン（戸外通話機器）
３２  戸外通話機器のスピーカ
【図１】
2005236743.tif 000003
【図２】
2005236743.tif 000004
【図３】
2005236743.tif 000005
【図４】
2005236743.tif 000006
【図５】
2005236743.tif 000007